(57)【特許請求の範囲】
【請求項１】
通水性シートが重ね合わされて一縁に流出孔を開口して周囲が密封された略袋状の通水性袋体、および、この通水性袋体内に収容され前記通水性シートの間隙を保持し柔軟性部材にて略板状に形成された通水性多孔質材を備えた濾過体と、
この濾過体を吊り下げ支持し軸方向の一端が開閉可能に閉塞された集水管と、
この集水管に設けられ前記通水性多孔質材の厚さ寸法と略同寸法の幅寸法にこの集水管の一端に連続して軸方向に沿ってスリット状に形成され前記通水性袋体内に前記通水性シートを介して通水した濾液が前記流出孔を介して前記集水管内に流通する集水スリットと、
前記通水性多孔質材の一縁に前記流出孔に臨んで設けられ前記集水スリットを通過不可能に形成され前記集水管の一端から内周側に配設されて前記通水性多孔質材を前記集水スリットを介して前記集水管に吊り下げ支持する連結具と
を具備したことを特徴とする汚水濾過装置。
【請求項２】
通水性シートが重ね合わされて一縁に流出孔を開口して周囲が密封された略袋状の通水性袋体、および、柔軟性部材にて略板状に形成された複数の通水性多孔質シートの縁を連結具にて互いに連結して略板状に形成され前記通水性袋体内に収容され前記通水性シートの間隙を保持する通水性多孔質材を備えた濾過体と、
この濾過体を吊り下げ支持し前記通水性袋体内に前記通水性シートを介して通水した濾液を前記流出孔を介して集水する集水管と
を具備したことを特徴とする汚水濾過装置。
【請求項３】
連結具は、リング状である
ことを特徴とした請求項１または２記載の汚水濾過装置。
【請求項４】
連結具は、コイル状である
ことを特徴とした請求項１または２記載の汚水濾過装置。
【請求項５】
長手方向が通水性多孔質材の縁に沿って連結具にて支持された棒状体を備えた
ことを特徴とする請求項１ないし４いずれか一記載の汚水濾過装置。
【発明の詳細な説明】
【０００１】
【発明の属する技術分野】
本発明は、通水性袋体内に間隙保持用の通水性多孔質材を収納する濾過体にて汚水を濾過処理する汚水濾過装置に関する。
【０００２】
【従来の技術】
従来、この種の汚水濾過装置としては、例えば特開平５−１８５０７８号公報に記載の構成が知られている。
【０００３】
そして、特開平５−１８５０７８号公報に記載の汚水濾過装置は、スポンジなどの間隙保持用の通水性多孔質材を間に介在させて不織布または織布などの通水性シートを重ね合わせて周縁を密封して袋状に形成した通水性袋体を形成して濾過体を構成し、この濾過体に通水シートを介して通水性袋体内に通水した濾液を外部に流出させる吸引管を導出している。
【０００４】
そして、濾過体を曝気槽の底部に配設した空気を曝気する曝気装置の上方に位置して吸引管の先端部を曝気槽外に導出して汚水中に浸漬配設し、吸引管と曝気槽中の汚水の水面との水頭圧により、汚水中の浮遊物質は通水性シートの表面に捕捉されて汚泥のケーキ層を形成するとともに、汚水の通水シートを介して内部に通水した濾液は吸引管を介して曝気装置外に処理水として流出される。なお、通水性シートの表面に付着するケーキ層は、吸引管による低い水頭差の吸引力で脆弱し、ある程度の厚さになると剥離するようになっている。
【０００５】
しかしながら、この特開平５−１８５０７８号公報に記載の従来の汚水濾過装置では、汚染の進行した汚水を多量に処理することにより通水性シートが次第に目詰まりを生じるとともに、通水性多孔質材にスポンジなどを用いた場合には通水性多孔質材に微生物が繁殖し、通水性が低下して汚水の処理速度が次第に低下する。このため、濾過体を頻繁に交換する必要があり、汚水処理の効率の向上が望めない。
【０００６】
そこで、例えば特開平９−２４２１１号公報に記載の汚水濾過装置が知られている。この特開平９−２４２１１号公報に記載の汚水濾過装置は、不織布または織布などの通水性シートを重ね合わせて一縁に流出孔を開口して周縁を密封して袋状に形成した通水性袋体内に通水性シート間の間隙保持用の通水性多孔質材を挿脱可能に収容して濾過体を構成している。そして、通水性多孔質材に流出孔を介して導出して取り付けた帯状の取付片および通水性袋体の流出孔の縁の取付部を、下側周面に集水孔を開口する集水管に流出孔を集水孔に連通させて固定具にて着脱可能に取り付けて濾過体を吊り下げ支持している。また、所定期間の濾過処理により濾過体が目詰まりし始めた際には、固定具とともに濾過体を取り外して通水性袋体および通水性多孔質材を洗浄もしくは交換する。
【０００７】
【発明が解決しようとする課題】
しかしながら、上記特開平９−２４２１１号公報に記載の汚水濾過装置では、集水管に通水性多孔質材の取付片および通水性袋体の取付部を固定具にて合わせて取付固定するため、集水管への濾過体の取付が煩雑となる。また、濾過処理により汚れ易いのは通水性袋体で、内部に位置する通水性多孔質材が目詰まりする度合いより通水性袋体が目詰まりする度合いの方がはるかに高い。しかしながら、通水性多孔質材と通水性袋体とを一緒に取り付けるため、通水性袋体のみ集水管から取り外して洗浄および交換する作業が困難となる問題がある。
【０００８】
一方、濾過処理量が多い場合や濾過体を収容し汚水が流入する処理槽の形状などにより、濾過体の平面面積を適宜設定して濾過体を形成する必要があり、製造が煩雑となる問題もある。
【０００９】
本発明は、上記問題点に鑑みなされたもので、濾過体を容易に集水管に着脱可能な汚水濾過装置を提供する、また、簡単な構成で製造が容易な汚水濾過装置を提供することを目的とする。
【００１０】
【課題を解決するための手段】
請求項１記載の汚水濾過装置は、通水性シートが重ね合わされて一縁に流出孔を開口して周囲が密封された略袋状の通水性袋体、および、この通水性袋体内に収容され前記通水性シートの間隙を保持し柔軟性部材にて略板状に形成された通水性多孔質材を備えた濾過体と、この濾過体を吊り下げ支持し軸方向の一端が開閉可能に閉塞された集水管と、この集水管に設けられ前記通水性多孔質材の厚さ寸法と略同寸法の幅寸法にこの集水管の一端に連続して軸方向に沿ってスリット状に形成され前記通水性袋体内に前記通水性シートを介して通水した濾液が前記流出孔を介して前記集水管内に流通する集水スリットと、前記通水性多孔質材の一縁に前記流出孔に臨んで設けられ前記集水スリットを通過不可能に形成され前記集水管の一端から内周側に配設されて前記通水性多孔質材を前記集水スリットを介して前記集水管に吊り下げ支持する連結具とを具備したものである。
【００１１】
そして、柔軟性部材にて略板状に形成された通水性多孔質材の一縁に設けた連結部を、集水管のスリット状の集水スリットに通水性多孔質材を挿通しつつ集水管の一端から内周側に挿入して通水性多孔質材を集水管に吊り下げ支持し、通水性多孔質材が間に介在されて間隙が保持される通水性シートが重ね合わされて一縁に流出孔を開口して周囲が密封された略袋状の通水性袋体を、内部に通水性多孔質材を収容して集水スリットに流出孔を連通させて集水管に吊り下げ支持する。このため、通水性袋体のみを集水管に着脱可能で、濾過体の集水管への着脱が容易で、濾過処理効率の向上および施工性の向上が図れる。
【００１２】
請求項２記載の汚水濾過装置は、通水性シートが重ね合わされて一縁に流出孔を開口して周囲が密封された略袋状の通水性袋体、および、柔軟性部材にて略板状に形成された複数の通水性多孔質シートの縁を連結具にて互いに連結して略板状に形成され前記通水性袋体内に収容され前記通水性シートの間隙を保持する通水性多孔質材を備えた濾過体と、この濾過体を吊り下げ支持し前記通水性袋体内に前記通水性シートを介して通水した濾液を前記流出孔を介して集水する集水管とを具備したものである。
【００１３】
そして、柔軟性部材にて略板状に形成された複数の通水性多孔質シートの縁を連結具にて適宜互いに連結して略板状に形成した通水性多孔質材を、通水性シートが重ね合わされて一縁に流出孔を開口して周囲が密封された略袋状の通水性袋体内に通水性シート間に介在して間隙を保持させて収容して、集水管に吊り下げ支持される濾過体を構成する。このため、連結具による連結状況により通水性多孔質材の大きさが適宜可変設定され、１種類の通水性多孔質シートにて大きさの異なる濾過体が得られ、製造性が向上する。
【００１４】
請求項３記載の汚水濾過装置は、請求項１または２記載の汚水濾過装置において、連結具は、リング状であるものである。
【００１５】
そして、リング状の連結具を用いたため、通水性多孔質部材と通水性袋体とが簡単な構成で容易に別々に取付可能で、濾過処理効率の向上および施工性の向上が容易に図れる。
【００１６】
請求項４記載の汚水濾過装置は、請求項１または２記載の汚水濾過装置において、連結具は、コイル状であるものである。
【００１７】
そして、コイル状の連結具を用いたため、通水性多孔質部材と通水性袋体とが簡単な構成で容易に別々に取付可能で、濾過処理効率の向上および施工性の向上が容易に図れる。
【００１８】
請求項５記載の汚水濾過装置は、請求項１ないし４いずれか一記載の汚水濾過装置において、長手方向が通水性多孔質材の縁に沿って連結具にて支持された棒状体を備えたものである。
【００１９】
そして、長手方向を柔軟性部材にて略板状に形成された通水性多孔質材の縁に沿って棒状体を通水性多孔質材に連結具にて支持するため、柔軟性の通水性多孔質材が補強され、例えば汚水の水温や水流などの雰囲気や通水性多孔質材を通水性袋体内に収容する際などに通水性多孔質材が変形せず、効率よく濾過処理の効率性および濾過体の着脱作業性が向上する。
【００２０】
【発明の実施の形態】
以下、本発明の汚水濾過装置の実施の一形態を図面を参照して説明する。
【００２１】
図１０において、１は処理槽で、この処理槽１は、上面を開口する箱状に形成され、内部に浸漬濾床２が配設されている。また、処理槽１の一側と浸漬濾床２と間の底部には、散気孔３が複数穿設された塩化ビニル樹脂パイプなどの管状の散気管４が複数設けられた曝気手段５が配設され、この曝気手段５の上方に曝気部６が形成されている。そして、処理槽１は、浸漬濾床２によって接触酸化された汚水７が散気管４から発生する気泡によって曝気されつつ曝気部６に上昇流となって還流するようになっている。
【００２２】
また、曝気部６の上部には、濾過体９を支持してこの濾過体９にて濾過した濾液を集水する塩化ビニル樹脂パイプなどにて略円筒状に形成された集水管１０が、曝気部６を跨ぐように長手方向が略水平となるように架設されている。そして、この集水管１０の一端部には、図示しないキャップが着脱可能に取り付けられて開閉可能に閉塞されている。さらに、集水管１０の他端は、処理槽１外に導出されている。また、この集水管１０の曝気部６の上部に位置する部分には、図１および図３に示すように、周面下部に下方に向けて開口し一端縁から他端近傍に至るスリット状の集水スリット１１が切り込み形成されている。なお、キャップは、略円板状の閉塞板の一面略中央に集水管の内周側に嵌合可能な略円柱状に突出する栓部を有し、この栓部の外周面に、集水スリット１１に係合して閉塞する突起部が突設されて形成されている。
【００２３】
そして、集水管１０は、図１０に示すように、処理槽１の汚水７の水面の高さＬ１  と集水管１０の高さＬ２  との差、すなわち、水頭差Ｌ＝Ｌ１  −Ｌ２  ＝２０ｍｍ〜１００ｍｍの低い水頭圧となるように配設されている。この水頭差Ｌは、汚水７の図示しない浮遊物質の濃度や、性質によって調整し、濾過体９にて汚水７を濾過する濾過速度が１〜１０ｍ３  ／ｍ２  日程度の緩やかな速度となるように設定することが好ましい。
【００２４】
一方、浸漬濾床２は、図８および図９に示すように、塩化ビニル樹脂パイプなどの略円筒状の骨組み部材１３が連結具１４にて略角柱枠状に組み立てられた取付枠状体１５と、この取付枠状体１５に上下方向に沿って張設された紐状接触材１６と、紐状接触材１６を取付枠状体１５に固定する固定具１７とを有している。
【００２５】
そして、紐状接触材１６は、例えば合成繊維にて形成された紐状芯材１９に多数のループ状繊維２０が引き出されて形成されている。また、この紐状接触材１６は、長手方向の両端が例えば合成樹脂にて形成された合成繊維の帯状布体２１に所定間隔ごとに縫着固定されている。さらに、帯状布体２１の両端には、ボタン孔のように縁がかがり縫いされた挿通孔２２がそれぞれ形成されている。
【００２６】
また、固定具１７は、例えば内径が骨組み部材１３の外径と略同径もしくは若干径大の塩化ビニル樹脂パイプを、長手軸方向に沿って周面の一部を切り欠いて切欠部２４を形成し、中心部から略１８０度より大きい角度範囲の断面円弧状に切欠部２４が弾性変形により拡開するように形成されている。
【００２７】
そして、骨組み部材１３が複数の帯状布体２１の挿通孔２２に帯状布体２１が所定間隔となるように挿通され、帯状布体２１の両端部分を覆うように固定具１７が骨組み部材１３に嵌合固定されて帯状布体２１が位置決め固定され、別体の骨組み部材１３が帯状布体２１および紐状接触材１６を所定の張力で張設するように連結具１４にて直交方向に連結されて略立方体枠状に組み立てられて浸漬濾床２が形成されている。
【００２８】
一方、濾過体９は、図１ないし図７に示すように、例えば最小保留粒子径１０μｍ〜１００μｍの２枚の不織布または織布などの通水性シート２６，２６が重ね合わされ、周縁が密封、例えば縫合されて内部に間隔保持用の通水性多孔質材２７を通水性シート２６，２６間に介在するように収容する袋状の通水性袋体２８を有している。さらに、通水性袋体２８の一辺は、両側辺の一部に亘って密閉されず流出孔２９が開口形成され、流出孔２９の周縁側の通水性シート２６が鍔状の自由端となっており、この自由端の部分が取付部３０となっている。
【００２９】
また、通水性多孔質材２７は、一対の織布などのメッシュ状の布帛状体３２，３２が所定間隔となるように所定の嵩と反発性を有するモノフィラメントのポリエステル繊維などの連結糸３３にて編み込まれて二重布帛状に連結されて、例えば１ｍ×１ｍの略正方形板状で厚さ寸法が集水管１０の集水スリットの幅寸法と略同寸法および幅狭となるように形成されている。さらに、通水性多孔質材２７の一辺の両端近傍には、コイル状の連結具３５が取り付けられている。この連結具３５は、軸方向が通水性多孔質材２７の一縁に沿ってこの通水性多孔質材２７の一縁部分を突き通すように取り付けられている。なお、通水性多孔質材２７は、布帛状体３２，３２が重ね合わされ所定の間隙を有するように連結糸３３にて編み込まれた二重布帛状に形成されているため、弾性を有するので、通水性多孔質材２７の一辺の一部のみに連結具３５を設けるのみでよい。
【００３０】
そして、通水性多孔質材２７が通水性袋体２８内に流出孔２９から連結具３５が臨むように収容されて濾過体９が構成されている。また、この濾過体９は、連結具３５が集水管１０の内周側に挿入され集水スリット１１を介して通水性多孔質材２７が導出するように集水管１０に通水性多孔質材２７が取り付け支持されている。さらに、通水性多孔質材２７が流出孔２９を介して内側に挿入しつつ通水性袋体２８の取付部３０が集水管１０の外周面に巻き付けられ、この取付部３０の部分に浸漬濾床２の固定具１７と同様に切欠部３９を設けた保持部４０が切欠部３９を拡開するように弾性変形されつつ嵌合されて、集水管１０に吊り下げ支持され、濾過体９が集水管１０に吊り下げ支持されて処理槽１内に配設されている。
【００３１】
次に、上記実施の一形態の濾過体９を処理槽１内に配設する動作を説明する。
【００３２】
あらかじめ通水性多孔質材２８の一辺両端部に連結具３５を取り付けておく。そして、集水管１０の一端側から集水スリット１１に通水性多孔質材２７を挿入するとともに連結具３５を集水管１０の内側に挿入し、集水管１０に通水性多孔質材２７を吊り下げ支持する。なお、この通水性多孔質材２７の挿入は、集水スリット１１の端部縁に通水性多孔質材２７の縁が当接するまで挿入する。この後、図示しないキャップを集水管１０の一端に集水スリット１１をキャップの突起部にて閉塞しつつ栓部を集水管１０の内周側に嵌挿して取り付け、集水管１０の一端側を閉塞する。なお、このキャップは、突起部の先端側の縁が通水性多孔質材２７の縁に当接する寸法形状に形成され、キャップの取り付けにより集水スリット１１は、通水性多孔質材２７が挿通する部分以外が閉塞された状態となる。
【００３３】
そして、あらかじめ袋状に形成された通水性袋体２８内に集水管１０に吊り下げ支持した通水性多孔質材２７を挿入し、通水性袋体２８の流出孔２９の縁を集水スリット１１を覆うように集水管１０の外周面に当接させて位置決めする。この後、通水性袋体２８の取付部３０が集水管１０の外周面に巻き付け、この巻き付けた取付部３０の部分に保持部４０を拡開するように弾性変形しつつ嵌合して、通水性袋体２８を集水管１０に吊り下げ固定し、濾過体９を集水管１０に吊り下げ支持する。
【００３４】
次に、この集水管１０を処理槽１内に、処理槽１の汚水７の水面の高さＬ１  より集水管１０の高さＬ２  が２０ｍｍ〜１００ｍｍ程度低い位置に架橋するように配設し、この水頭差Ｌを維持する状態で複数の集水管１０，１０を連結して処理槽１外に導出する。
【００３５】
次に、上記実施の形態の汚水の処理動作を説明する。
【００３６】
処理槽１内に導入された汚水７は、曝気手段５の散気管４から散気された気泡により曝気されつつ曝気部６に上昇して上昇流となり、この上昇流の発生により汚水７は処理槽１内を還流する。そして、浸漬濾床２を通過する汚水７は、紐状接触材１６に付着する微生物により汚水７中の有機性の汚染物質が好気性分解され、浄化され再び曝気手段５により曝気部６に上昇する。
【００３７】
この汚水７の還流の際に、曝気部６に配設された濾過体９により、水頭差にて生じる低い吸引力にて汚水７の一部が緩やかな速度で吸引され、通水性シート２６に浸透し、通水性袋体２８内に通水される。そして、通水性袋体２８内に通水された濾液は、通水性袋体２８の流出孔２９から集水管１０の集水スリット１１を介して集水管１０内に吸引されて処理槽１外に処理水として放水される。
【００３８】
また、通水性シート２６を汚水７が通水する際、汚水７中の浮遊物質は通水性シート２６に捕捉されて濾過され、この濾過が続けられると、通水性シート２６の表面に濃縮された汚泥のケーキ層が形成される。そして、このケーキ層により、汚水７中の微細な粒子もフィルタ作用により捕捉されて濾過される。なお、ケーキ層は、濾過体９が低い水頭差による低い吸引力にて脆弱しているため、所定の厚さ寸法になると通水性シート２６の表面から剥離し、再びケーキ層が付着し成長する。このため、ケーキ層は、略一定の厚さ寸法に保たれ、略一定の濾過速度が維持される。
【００３９】
そして、長期間の濾過により通水性シート２６の目詰まりが進行し、濾過速度が低下する場合には、保持部４０を取り外して集水管１０に連結具３５にて通水性袋体２８が吊り下げられた状態で濾過体９の通水性袋体２８を集水管１０から取り外す。この後、通水性袋体２８を洗浄し、集水管１０に吊り下げ支持した通水性多孔質材２７に例えば微生物などのフロックが増殖するなどする場合には噴水洗浄する。そして、洗浄後の新しい通水性袋体２８の内部に集水管１０に吊り下げ支持した通水性多孔質材２７を挿入し、通水性袋体２８の流出孔２９の縁を集水スリット１１を覆うように集水管１０の外周面に当接させて位置決めする。この後、通水性袋体２８の取付部３０が集水管１０の外周面に巻き付け、この巻き付けた取付部３０の部分に保持部４０を拡開するように弾性変形しつつ嵌合して、通水性袋体２８を集水管１０に吊り下げ固定し、濾過体９を集水管１０に吊り下げ支持する。
【００４０】
上記実施の一形態によれば、通水性袋体２８の通水性シート２６，２６が汚水７の水圧で密着することなく円滑に汚水７を濾過させる通水性多孔質材２７に、集水管１０の集水スリット１１を挿通不可能な径大のコイル状の連結具３５を通水性袋体２８の流出孔２９に臨んで設け、集水管１０内に連結具３５を挿入し、通水性多孔質材２７を集水スリット１１に挿入して吊り下げ支持し、通水性袋体２８は別途保持部４０にて集水管１０に取り付けるため、例えば通水性シート２６，２６の汚水７中の浮遊物質による目詰まりにて通水率が低下しても通水性袋体２８のみを交換するのみで、通水性多孔質材２７はそのまま吊り下げ支持しておくことができ、通水性袋体２８のみを集水管１０に容易に着脱できるので、濾過体９の集水管１０への着脱が容易で、通水性袋体２８の交換時間の短縮などにより濾過処理効率が向上するとともに、濾過体９を配設する施工性を向上できる。
【００４１】
また、連結具としてコイル形状のものを用いたため、容易に通水性多孔質材２７に取り付けでき、通水性多孔質材２７のみを簡単な構成で容易に集水管１０に吊り下げ支持できる。
【００４２】
そして、通水性多孔質材２７は、一対の織布などのメッシュ状の布帛状体３２，３２を所定間隔となるように所定の嵩と反発性を有するモノフィラメントのポリエステル繊維などの連結糸３３にて編み込んで二重布帛状に連結し、長方形板状に形成したため、通水性多孔質材２７が通水性袋体２８内で増殖した微生物により目詰まりすることを抑制でき、濾過体９の交換頻度が低下して処理効率の低下を防止でき、汚水処理の運転管理も容易となる。
【００４３】
さらに、通水性多孔質材２７の周縁に着脱自在に枠体３７を設けたため、枠体３７により通水性多孔質材２７が板状の形態をとるため、通水性多孔質材２７を容易に通水性袋体２８内に挿脱でき作業性を向上できるとともに、曝気によるエアリフトが生じて汚水７に上昇流が発生し、この上昇流により通水性シート２６，２６が波打つように屈曲しても通水性シート２６，２６同士が密着することを防止でき、通水性シート２６，２６間の所定の間隙は保持され、確実に汚水７を処理できるとともに、枠体３７を着脱自在に設けたため、通水性多孔質材２７を交換する際には枠体３７は再利用できるため、通水性多孔質材２７のみの交換により処理コストを低減できる。
【００４４】
また、通水性袋体２８を通水性シート２６，２６の一片を両側片の一部に亘って縫合せずに流出孔２９を形成したため、流出孔２９の周縁に鍔状の取付部３０，３０を形成でき、これら取付部３０，３０を集水管１０に集水スリット１１に流出孔２９を対向連通するように保持部４０にて着脱自在に固定するため、別途流出孔２９を設けた管状物を設けるなどが不要で、容易に通水性袋体２８のみを集水管１０に着脱可能に吊り下げ支持できる。
【００４５】
そして、濾過体９を曝気手段５の上方に位置して配設したため、曝気手段５から発生する気泡や上昇流などにより、通水性シート２６，２６の表面に付着する脆弱なケーキ層の剥離および成長が適宜発生してケーキ層の厚さを略一定に保持でき、濾過速度を略一定にできる。
【００４６】
また、汚水７中の浮遊物質の濃度や性質によって水頭差を調節して濾過することにより、汚泥による通水性シート２６，２６の目詰りを抑制でき、ケーキ層により適度なフィルタ作用を持たせることができ、濾過効率を向上できる。
【００４７】
なお、上記実施の一形態において、濾過体９を曝気手段５を備えた処理槽１に配設して水頭差により濾過処理する構成について説明したが、例えばポンプにて汚水７を濾過処理したり、凝集剤を添加して攪拌子やジェット水流などの攪拌手段にて汚水７を流動させる凝集槽などの浸漬濾床２や曝気手段５を有しない槽に配設するなど、いずれの濾過処理方法に利用できる。なお、ポンプなどを用いて吸引により濾過させる場合、吸引力は、通水性シート２６，２６の表面に形成されるケーキ層を緻密化させずに脆弱状態で維持させるため、低く設定することが好ましい。
【００４８】
また、通水性多孔質材２７として一対の織布などのメッシュ状の布帛状体３２，３２を所定間隔となるように所定の嵩と反発性を有するモノフィラメントのポリエステル繊維などの連結糸３３にて編み込んで二重布帛状に連結したものを用いたが、例えばスポンジなどの柔軟性部材にて通水性多孔質に形成したいずれのものでもできる。なお、上記実施の形態のようにメッシュ状に編み込んだ通水性多孔質材２７では、連結具３５をメッシュの孔部分を通すように取り付けることができ、取付動作が容易にできる。
【００４９】
さらに、連結具３５としては、コイル状のものに限らず、リング状のものを複数設けるなど集水スリット１１を挿通不可能ないずれの形状のものでもできる。
【００５０】
また、通水性多孔質材２７の柔軟性が高く板形状を維持しにくい場合には、例えば図１１に示すように、硬質合成樹脂などにて細長棒状の棒状体４５のそれぞれ両端部が、略Ｌ字パイプ状の連結部材４６にて着脱自在に連結されて枠状に形成された補強用の枠体４７を用いてもよい。すなわち、通水性多孔質材の周縁に枠体４７を位置させ、コイル状の連結具３５を内周側に枠体４７が位置するように通水性多孔質材２７に取り付けて通水性多孔質材２７を枠体４６に保持させる。この構成によれば、処理槽１内の汚水７の対流などにより濾過体９がなびいて隣設する濾過体９，９が接触することによる濾過効率の低減を防止できるとともに、通水性多孔質材２７が大型となっても取扱が容易となって容易に集水管１０に着脱できる。
【００５１】
一方、濾過体９の寸法が２ｍ×２ｍの場合、図１２に示すように、上記実施の形態の平面寸法が例えば１ｍ×１ｍの通水性多孔質材である通水性多孔質シート２７の４枚を連結具３５にて互いの縁を連結した１枚の通水性多孔質材を形成してもできる。この構成によれば、１つの形状の通水性多孔質シート２７の連結状況により、適宜形状の異なる通水性多孔質材が得られ、保守管理および製造性を向上できるとともに、連結部分の縁で連結具３５を介して容易に折り畳みでき、例えば通水性多孔質材を丸めることによるくせの発生を防止できる。
【００５２】
【発明の効果】
請求項１記載の汚水濾過装置によれば、通水性多孔質材の一縁に集水管の集水スリットを通過不可能な連結具を流出孔に臨んで設けたため、集水管の一端から内周側に連結具を配設することにより、通水性多孔質材のみを集水スリットを介して集水管に吊り下げ支持でき、容易に濾過体を集水管に着脱でき、濾過処理効率および施工性を向上できる。
【００５３】
請求項２記載の汚水濾過装置によれば、複数の通水性多孔質シートの縁を連結具にて適宜互いに連結して略板状に通水性多孔質材を形成するため、連結具による連結状況により濾過体の大きさに対応して１種類の通水性多孔質シートにて通水性多孔質材の大きさを適宜可変設定でき、製造性を向上できる。
【００５４】
請求項３記載の汚水濾過装置によれば、請求項１または２記載の汚水濾過装置の効果に加え、リング状の連結具を用いたため、通水性多孔質部材と通水性袋体とが簡単な構成で容易に別々に取付でき、濾過処理効率および施工性を容易に向上できる。
【００５５】
請求項４記載の汚水濾過装置によれば、請求項１または２記載の汚水濾過装置の効果に加え、コイル状の連結具を用いたため、通水性多孔質部材と通水性袋体とが簡単な構成で容易に別々に取付でき、濾過処理効率および施工性を容易に向上できる。
【００５６】
請求項５記載の汚水濾過装置によれば、請求項１ないし４いずれか一記載の汚水濾過装置の効果に加え、長手方向を柔軟性部材にて略板状に形成した通水性多孔質材の縁に沿って棒状体を通水性多孔質材に連結具にて支持するため、柔軟性の通水性多孔質材が補強され、例えば汚水の水温や水流などの雰囲気や通水性多孔質材を通水性袋体内に収容する際などに通水性多孔質材が変形せず、効率よく濾過処理の効率性および濾過体の着脱作業性を向上できる。
【図面の簡単な説明】
【図１】本発明の汚水濾過装置の実施の一形態の濾過体を集水管に取り付ける状況を示す一部を切り欠いた分解斜視図である。
【図２】同上集水管に取り付けた濾過体を示す断面図である。
【図３】同上正面図である。
【図４】同上濾過体を示す一部を切り欠いた正面図である。
【図５】同上断面図である。
【図６】同上通水性多孔質材を示す正面図である。
【図７】同上通水性多孔質材の布帛状体を連結糸にて連結した状況を示す部分拡大図である。
【図８】同上浸漬濾床を示す一部を切り欠いた斜視図である。
【図９】同上浸漬濾床を示す一部を拡大した分解斜視図である。
【図１０】同上濾過体を配設した処理槽を示す説明図である。
【図１１】本発明の他の実施の形態の通水性多孔質材を示す正面図である。
【図１２】本発明のさらに他の実施の形態を示す通水性多孔質シートを連結具にて連結した状況の一部を切り欠いた正面図である。
【符号の説明】
７    汚水
９    濾過体
１０    集水管
１１    集水スリット
２６    通水性シート
２７    通水性多孔質材
２８    通水性袋体
２９    流出孔
４５    棒状体
【図１】
0003607794.tif 000002
【図２】
0003607794.tif 000003
【図３】
0003607794.tif 000004
【図４】
0003607794.tif 000005
【図５】
0003607794.tif 000006
【図６】
0003607794.tif 000007
【図７】
0003607794.tif 000008
【図８】
0003607794.tif 000009
【図９】
0003607794.tif 000010
【図１０】
0003607794.tif 000011
【図１１】
0003607794.tif 000012
【図１２】
0003607794.tif 000013